(57)【要約】      （修正有）【課題】簡単な操作で管材や棒材等の周囲にループを作って吊り下げ用のフックを設けることができるバンド付きフックを提供すること。【解決手段】箱状のフック支持部１の一端に上方に延びるバンド部２を延設し、このフック支持部１には前記バンド部２を挿通する挿通孔４と、挿通状態にあるバンド部２を係止する係止部材５を設けるとともに、フック支持部１の下部にはＵ字状のフック部３を回動自在に取り付けたものとした。また、前記フック支持部１を上段部Ｒ１と下段部Ｒ２の二層構造として、上段部Ｒ１にバンド部２の挿通孔４を設け、下段部Ｒ２にフック部３の回動機構を設けたものとした。【選択図】図４
0003104131.tif 000002
【実用新案登録請求の範囲】
【請求項１】
箱状のフック支持部の一端に上方に延びるバンド部を延設し、このフック支持部には前記バンド部を挿通する挿通孔と、挿通状態にあるバンド部を係止する係止部材を設けるとともに、フック支持部の下部にはＵ字状のフック部を回動自在に取り付けたことを特徴とするバンド付きフック。
【請求項２】
フック支持部を上段部と下段部の二層構造として、上段部にバンド部の挿通孔を設け、下段部にフック部の回動機構を設けた請求項１に記載のバンド付きフック。
【請求項３】
係止部材は、一端をフック支持部に固定され、挿通孔に沿って延設された板状の部材からなり、固定部を中心にして上下に揺動自在とされているとともに、上面側にはバンド部に形成された係合歯に歯合する爪片が突設されている請求項１または２に記載のバンド付きフック。
【請求項４】
バンド部の一面には、係止部材の爪片に歯合する係合歯がバンド部の長手方向に沿って形成されている請求項１または２または３に記載のバンド付きフック。
【考案の詳細な説明】
【技術分野】
【０００１】
本考案は、簡単な操作で管材や棒材等の周囲にループを作って吊り下げ用のフックを設けることができるバンド付きフックに関するものである。
【背景技術】
【０００２】
従来から、吊り下げ用のフックとしては、ネジ付きフックや接着剤等の接着面を利用して壁面に固定するタイプのフックが広く用いられている。ところが、このタイプのものは恒久的に固定される方式であるため、不要になった場合は取り外すのが面倒であり、また取り外し後に壁面に傷を残すという問題を有している。そこで、洗濯物の干し竿や管材あるいは各種の棒材や多孔ボード等に吊り下げ用のフックを設ける場合は、実用新案登録文献１に示されるようなＳ字型のフックを用い、一方を管材側に取り付け、他方を吊り下げ用のフックとして利用することが行われていた。
【０００３】
しかしながら、Ｓ字型のフックは棒材等からの着脱は容易に行うことができるものの、取り付ける相手側の管径に応じた大きさのフックが必要になり多種の径の管材には対応することができないという問題点や、管材等に対して単にＳ字型の片側を係合させているだけであるため、簡単に外れてしまったり動いてしまったりして、しっかりと固定することが難しいという問題点があった。
【特許文献１】実用新案登録第３０３４９８８号公報
【考案の開示】
【考案が解決しようとする課題】
【０００４】
本考案は上記のような従来の問題点を解決して、簡単な操作で管材や棒材等の周囲にループを作って吊り下げ用のフックを設けることができ、また、あらゆる径の管材等に対しても確実に固定することができ、しかも不要の際には簡単にループを解除して取り外せるとともに何度でも繰り返して使用することができるバンド付きフックを提供することを目的として完成されたものである。
【課題を解決するための手段】
【０００５】
上記課題を解決するためになされた本考案のバンド付きフックは、箱状のフック支持部の一端に上方に延びるバンド部を延設し、このフック支持部には前記バンド部を挿通する挿通孔と、挿通状態にあるバンド部を係止する係止部材を設けるとともに、フック支持部の下部にはＵ字状のフック部を回動自在に取り付けたことを特徴とするものである。
【考案の効果】
【０００６】
本考案のバンド付きフックは、フック支持部に延設したバンド部を利用して管材等に巻きつくループを形成することにより、あらゆる径の管材等に対してもフックを確実に固定することができ、また回動自在に取り付けたフック部により、該フック部を常に最適方向に向けることができ使い勝手に優れたものとなる。
【考案を実施するための最良の形態】
【０００７】
以下に、図面を参照しつつ本考案の好ましい形態を示す。
図１は、本考案のフックの使用状態を示す斜視図、図２は正面側からみた斜視図、図３は背面側から見た斜視図、図４はフック支持部の断面図、図５はフックの使用状態を示す断面図である。
図において、１は箱状のフック支持部、２はこのフック支持部１の一端に上方に向けて延設されたバンド部、３はフック支持部１の下部に回動自在に取り付けられたＵ字状のフック部である。なお、２０はフックを取り付ける相手側である管材である。
【０００８】
前記フック支持部１には、バンド部２を挿通するための挿通孔４と、挿通状態にあるバンド部２を係止するための係止部材５が設けられている。また、フック支持部１の下部にはＵ字状のフック部３が回動自在に取り付けられている。そして、フック支持部１は上段部Ｒ１と下段部Ｒ２の二層構造となっており、上段部Ｒ１には前記バンド部２の挿通孔４が設けられ、一方、下段部Ｒ２にはフック部３の回動機構が設けられた構造となっている（図４参照）。
【０００９】
係止部材５は、図４および図５に示されるように、一端をフック支持部１に固定され、挿通孔４に沿って延設された板状の部材からなり、プラスチック材料のもつ弾力性を利用して固定部を中心に上下に揺動自在とされている。また上面側には、後述するバンド部２に形成された係合歯２ａに歯合する断面三角状の爪片５ａが突設されている。なお、この爪片５ａは前面側を傾斜面とし、後面側を垂直面とされており、バンド部２が傾斜面に案内されて前方向には進入できるが、後方向には爪片５ａが垂直面に引っ掛かって後退できないようになっている。
【００１０】
フック部３の回動機構としては、フック支持部１の底面に設けた孔部６内に、フック部３の上端部に形成した前記孔部６の内径よりも大きな外径を有する割ピン状の頭部３ａを挿入することにより、該頭部３ａ側を軸としてフック部３の先端部側が３６０度自在に回動するように構成されている。
【００１１】
バンド部２の一面には、前記係止部材５の爪片５ａに歯合する係合歯２ａがバンド部２の長手方向に沿ってミリ間隔で形成されている。なお、２ｂはバンド部２の先端に形成された滑り止め用の凹凸部であり、この凹凸部２ｂは前記係合歯２ａが形成された面とは反対側の面に形成されている。
【００１２】
次に、バンド付きフックの装着手順について説明する。
フックを管材２０に取り付ける場合は、バンド部２をループを作るように管材２０の外周に沿わせてセットし、バンド部２の先端部をフック支持部１の挿通孔４内に挿通する。次いで、先端部を更に引っ張ってループが管材２０の外周にほぼ完全に密着するように緊縛する。この時点で引っ張るのを止めると、バンド部２に形成した係合歯２ａが係止部材５の爪片５ａが歯合してバンド部２は緩むことがなく、この状態でしっかりと固定されることとなる（図４〜５参照）。しかも、バンド部２はプラスチック材料のもつ弾力性により管材２０に沿ってピッタリと密着するため、丸形状に限らず矩形や複雑な形状であっても、確実に緊縛できることとなる。
【００１３】
一方、フックを取り外す場合は、係止部材５の爪片５ａを下方側（矢印方向）へ押し下げて爪片５ａと係合歯２ａの歯合関係を解除すれば、バンド部２を挿通孔４より簡単に取り外すことができる。その後は、同様の手順により任意の場所に何度でもフックの着脱を繰り返すことができる。
【００１４】
以上の説明からも明らかなように、本考案は箱状のフック支持部１の一端に上方に延びるバンド部２を延設し、このフック支持部１には前記バンド部２を挿通する挿通孔４と、挿通状態にあるバンド部２を係止する係止部材５を設けるとともに、フック支持部１の下部にはＵ字状のフック部３を回動自在に取り付けたものとしたので、前記バンド部２を利用して管材等に巻きつくループを形成することにより、あらゆる径の管材等に対してもフック３を確実に固定することができ、また回動自在に取り付けたフック部３により、該フック部３を常に最適方向に向けることができ使い勝手に優れたものとなる。
更には、柔軟性のあるバンド部２によりループを形成して取り付ける構造であり、管材２０に沿ってピッタリと密着するため、丸形状に限らず矩形や複雑な形状であっても、確実に緊縛できるという利点や、着脱が自在で任意の場所に何度でも繰り返して利用することができるという利点もある。
【図面の簡単な説明】
【００１５】
【図１】本考案のフックの使用状態を示す斜視図である。
【図２】正面側からみた斜視図である。
【図３】背面側から見た斜視図である。
【図４】フックの使用状態を示す断面図である。
【図５】本考案の実施の形態を示す断面図である。
【符号の説明】
【００１６】
１  フック支持部
２  バンド部
２ａ  係合歯
２ｂ  凹凸部
３  フック部
４  挿通孔
５  係止部材
５ａ  爪片
Ｒ１  上段部
Ｒ２  下段部
【図１】
0003104131.tif 000003
【図２】
0003104131.tif 000004
【図３】
0003104131.tif 000005
【図４】
0003104131.tif 000006
【図５】
0003104131.tif 000007